(57)【要約】【課題】用便による汚損部分の拡散が少なく、用便後の汚損部分の処理が簡単に行え、微細な粉末の飛散による室内環境の悪化発生がないペット用のトイレを提供する。【解決手段】トイレ本体１ａが本体容器２と中容器３からなり、中容器３の底部７を、平坦部７ａとこの平坦部７ａよりも凹入する溝状凹部７ｂの組み合わせによって形成し、前記溝状凹部７ｂ内に複数枚のトイレットペーパを重ね合わせた吸水紙チップ９を充填する。【選択図】図３
2008022777.tif 000002
【特許請求の範囲】
【請求項１】
底部と周壁部で容器に形成されたトイレ本体の前記底部を、平坦部とこの平坦部よりも凹入する溝状凹部の組み合わせによって形成し、前記溝状凹部内に吸水紙チップを充填するようにしたペット用トイレ。
【請求項２】
上記トイレ本体が、底部がフラットな本体容器と、この本体容器に対して上部から着脱自在に嵌め込んで取付ける中容器との組み合わせからなり、この中容器の底部が、平坦部とこの平坦部よりも凹入する溝状凹部の組み合わせによって形成され、前記平坦部の下に空間を保つようになっている請求項１に記載のペット用トイレ。
【発明の詳細な説明】
【技術分野】
【０００１】
この発明は、猫や室内犬等のペット用のトイレ、特に、用便後の処理が簡単で室内空間の汚損発生がない衛生的なトイレに関する。
【背景技術】
【０００２】
家屋内において猫や室内犬を飼う場合、しつけによって尿や便の排泄を一定の場所で行わせるためにペット用トイレが使用されている。
【０００３】
従来の猫用のトイレは、合成樹脂を用いたトイレ本体を底部と周壁部からなるトレー状の容器に形成し、このトイレ本体内に、例えば、ゼオライト、アスベスト、シリカゲル、川砂等のいわゆる猫砂を敷くようにした構造になっており、猫は用便時にトイレ本体内に入り、猫砂上に排便することになる。
【発明の開示】
【発明が解決しようとする課題】
【０００４】
ところで、猫砂への用便後にそのまま放置すると悪臭が発生すると共に不衛生であり、このため、用便後は速やかな排便の処理が必要になる。
【０００５】
しかし、従来のトイレは、猫砂を使用しているため、用便後の猫砂は用便による汚損部分が拡散し易く、猫砂の取換え量が多くなって経済的負担が大きくなる。
【０００６】
また、猫砂は微細な粉末を含有するため、トイレ本体内に対する充填作業時に微細な粉末が室内に飛散することになり、実際に家人の目や鼻、喉を痛めているのが現状である。
【０００７】
そこで、この発明が解決しようとする課題は、用便による汚損部分の拡散が少なく、用便後の汚損部分の処理が簡単に行え、経済的であると共に、微細な粉末の飛散による室内環境の悪化発生がないペット用のトイレを提供することである。
【課題を解決するための手段】
【０００８】
上記の課題を解決するため、この発明は、底部と周壁部で容器に形成されたトイレ本体の前記底部を、平坦部とこの平坦部よりも凹入する溝状凹部の組み合わせによって形成し、前記溝状凹部内に吸水紙チップを充填するようにした構成を採用したものである。
【０００９】
上記トイレ本体が、底部がフラットな本体容器と、この本体容器に対して上部から着脱自在に嵌め込んで取付ける中容器との組み合わせからなり、この中容器の底部が、平坦部とこの平坦部よりも凹入する溝状凹部の組み合わせによって形成され、前記平坦部の下に空間を保つようになっている構造とすることができる。
【００１０】
また、上記トイレ本体の内部に、平坦部と溝状凹部の表面を覆うカバーを着脱自在に嵌め込んで取付けるようにすることができる。
【００１１】
ここで、トイレ本体は、合成樹脂を用いて形成され、底部となる平坦部と溝状凹部の平面的な形状と組み合わせは、自由に設定することができ、例えば、溝状凹部を十字状とすることにより、トイレ本体内に四分割した平坦部を設け、各平坦部をペットが乗れるだけの平面的な大きさにする。
【００１２】
上記溝状凹部に充填する吸水紙チップは、ロール巻きされたトイレットペーパを複数枚、例えば２〜５枚程度を重ね合わせ、これを鋏で適当な大きさの矩形状に切断して切り出すことにより形成され、吸水紙チップは鋏による切断によって周縁が圧着することで複数枚のトイレットペーパの重ね合わせ状態が保持され、吸水性に優れた構造となり、このような吸水紙チップを溝状凹部内に詰め込むように充填すれば、吸水性に優れて拡散性が少ないため、用便による汚損の発生は部分的となり、汚損した吸水紙チップの取換えが部分的でよくなり、取換え量を少なくできるという利点がある。
【発明の効果】
【００１３】
この発明によると、トイレ本体の前記底部を、平坦部とこの平坦部よりも凹入する溝状凹部の組み合わせによって形成し、前記溝状凹部内に吸水紙チップを充填するようにしたので、平坦部に乗って溝状凹部の位置で排便すれば、水分が吸水紙チップに吸収されることになり、この吸水紙チップが排泄物の拡散を防ぎ、用便後の汚損部分の処理が吸水紙チップの部分的な取換えだけでよく、汚損した吸水紙チップは水洗トイレで処理できるので、排泄物の処理が衛生的に行え、しかも、吸水紙チップの部分的な取換えでよいので経済的である。
【００１４】
また、汚損した吸水紙チップは水洗トイレで処理できるので、ゴミ収集日までゴミ袋に溜まった汚物の置き場所がいらず、その悪臭に悩まされることがないと共に、吸水紙チップは、トイレ本体への出し入れ時に微細な粉末の飛散はなく、室内環境を悪化させることがない。
【００１５】
更に、平坦部と溝状凹部の表面を取外し可能なカバーで覆うことにより、平坦部や溝状凹部が汚れてもカバーを取外すことでトイレ本体の清潔を保つことができ、カバーだけを洗えばよいので汚れの処理が簡単になり、従来のように、トイレ容器を定期的に洗ったり干したりする手間を省くことができる。
【発明を実施するための最良の形態】
【００１６】
次に、この発明の実施形態を図示例と共に説明する。
【００１７】
図示のように、ペット用トイレ１は、トイレ本体１ａが、本体容器２と、この本体容器２に対して上部から着脱自在に嵌め込んで取付ける中容器３の組み合わせからなり、必要に応じて中容器３に対して上から着脱自在に被せる薄いカバー４が用いられ、これらはそれぞれ合成樹脂を用いて形成されている。
【００１８】
上記本体容器２は、フラットな底部５の周囲に周壁６を設けて上面で開口する容器に形成されている。
【００１９】
上記中容器３は、本体容器２に対して上部から着脱自在に嵌め込むことができる大きさを有し、底部７とこの底部７の周囲に立ち上がる矩形枠状の周壁部８で容器に形成され、前記底部７は、平坦部７ａとこの平坦部７ａの周囲で凹入する溝状凹部７ｂからなり、吸水紙チップ９を前記溝状凹部７ｂ内に充填するようになっている。
【００２０】
上記中容器３の底部７を形成する平坦部７ａと溝状凹部７ｂの平面的な組み合わせは、自由に設定することができ、図１乃至図３に示す第１の例では、周壁部８内において溝状凹部７ｂを十字状とすることにより、中容器３内に四分割した平坦部７ａを設け、各平坦部７ａを利用してその上にペットが乗れるようになっている。
【００２１】
上記各平坦部７ａの高さ位置は、周壁部８の高さの中間部に位置する程度とし、二辺が周壁部８に連なり、残る二辺が溝状凹部７ｂに臨むことになる。
【００２２】
この溝状凹部７ｂは、各平坦部７ａ間の上面で開放し、その底面が本体容器２の底部に重なる深さを有し、平坦部７ａの上面は溝状凹部７ｂに向けて下がる緩い傾斜面にして小水が溝状凹部７ｂに流れ込み易いようになっていると共に、平坦部７ａと溝状凹部７ｂの境界部分が平坦部７ａから溝状凹部７ｂに向けて下がる弧状縁となり、溝状凹部７ｂの底部も円弧を持たせることにより、付着した汚物の洗浄による除去が簡単に行えるようになっている。
【００２３】
上記各平坦部７ａの下は、溝状凹部７ｂで二辺が囲まれた空間１０になっており、本体容器２にこの中容器３を嵌め込むと、前記空間１０は閉じ込められた空間になり、この閉じ込められた空間に、見た目の美感を向上させるか、ペットが好む装飾品１１を収納するようにしてもよく、この場合、装飾品１１が見えるように本体容器２と中容器３及びカバー４は透明な合成樹脂で形成するのが好ましい。
【００２４】
上記中容器３において、平坦部７ａと溝状凹部７ｂは周壁部８と一体成型してもよいが、中容器３をフラットな底付きの容器とし、これとは別体に成形した平坦部７ａと溝状凹部７ｂを周壁部８内に組み込むようにしてもよく、何れの場合も、平坦部７ａに図柄や装飾を施すようにすることができる。
【００２５】
上記カバー４は、図３（ｂ）のように、中容器３の平坦部７ａから溝状凹部７ｂを含む全部の表面を取外し可能な状態で覆い、排泄によって汚れた場合にこのカバー４を取り外して洗浄することで、ペット用トイレ１の清潔性を保つことができ、中容器３の平坦部７ａや溝状凹部７ｂ等の各部に重なる部分は、中容器３の構成部分と同一符号を付すことによって説明に代える。
【００２６】
図４と図５は、中容器３の底部７を形成する平坦部７ａと溝状凹部７ｂの組み合わせの第２の例を示し、周壁部８内において、この周壁部８の一つのコーナに片寄った位置にＬ字状の配置で溝状凹部７ｂを設けることにより、広い矩形の平坦部７ａと細いＬ形の平坦部７ａを形成したものである。
【００２７】
なお、何れの例においても、溝状凹部７ｂの中の適宜位置に補強を兼ねる仕切り桟１２を一体成形によって設け、溝状凹部７ｂ内に収納した吸水紙チップ９を複数に仕切ることにより、排泄物による吸水紙チップ９の汚損が広がらずに部分的に生じるようにし、吸水紙チップ９の取換え量を少なくなるようにしている。
【００２８】
上記吸水紙チップ９は、ロール巻きされた市販のトイレットペーパを複数枚、例えば２〜５枚程度を重ね合わせ、これを鋏で適当な大きさの矩形状に切断して切り出すことにより形成され、吸水紙チップ９は、重ね合わせたトイレットペーパを鋏により切断することによって周縁が圧着し、これによって複数枚のトイレットペーパの重ね合わせ状態が保持されて分離することがなく、チップ形状が保持されて吸水性に優れた構造となり、このような吸水紙チップ９を溝状凹部７ｂ内に詰め込むように充填すれば、吸水性に優れて拡散性が少ないため、用便による汚損の発生は部分的となり、汚損した吸水紙チップ９の取換えが部分的でよくなり、取換え量を少なくできるという利点がある。
【００２９】
なお、図示の場合、ペット用トイレ１は、トイレ本体１ａを本体容器２と中容器３の組み合わせによって形成し、別にカバー４を使用したものを示したが、カバー４を省くようにしたり、また、本体容器２とカバー４を省き、中容器３だけの独立した構造でトイレ本体とすることもできる。
【００３０】
この発明のペット用トイレ１は、上記のような構成であり、本体容器２の内部に中容器３を嵌め込み、更に中容器３の内部に薄い成形品のカバー４を嵌め込み、カバー４で覆われた溝状凹部７ｂ内全体に吸水紙チップ９を均一に詰め込むように充填し、このペット用トイレ１を室内の適所に設置して置く。
【００３１】
上記吸水紙チップ９は、複数枚のトイレットペーパを重ね合わせたものであるので、手でつまんで溝状凹部７ｂ内に入れるときに手が汚れないと共に、溝状凹部７ｂ内への出し入れ時に微細な粉末の飛散発生はなく、室内環境を悪化させることがない。
【００３２】
用便時に猫や犬のようなペットはトイレ本体１ａの中に入り、平坦部７ａの上に乗った状態で溝状凹部７ｂに充填した吸水紙チップ９に向けて排便する。
【００３３】
排便による固形物は吸水紙チップ９上に載り、水分は吸水紙チップ９に吸収されることになり、この吸水紙チップ９が排泄物の拡散を防ぎ、用便後においては、汚損した吸水紙チップ９はトングで取り出して部分的に新たな吸水紙チップと取換え、汚損した吸水紙チップ９は水洗トイレで処理すればよい。
【００３４】
具体的な清浄化処理としては、水で薄めた殺菌ハンドソープ等をボトル容器に入れて用意しておき、汚れた吸水紙チップ８を取り除いたその部分だけに殺菌ハンドソープ等をふりかけ、吸水紙チップ９を数枚用いてこれを拭き取り、その後水拭きをするだけできれいになり、大掛かりな洗浄は必要としない。
【００３５】
このように、排泄物の処理が衛生的に行え、しかも、吸水紙チップ９の部分的な取換えでよいので経済的である。
【００３６】
また、継続して使用する場合、定期的にカバー４を取外して洗浄し、本体容器２と中容器３は拭く程度で清潔さを保つことができる。
【図面の簡単な説明】
【００３７】
【図１】この発明にかかるペット用トイレのトイレ本体の第１の例を示す分解斜視図
【図２】この発明にかかるペット用トイレのトイレ本体の第１の例を示す組み立て状態の斜視図
【図３】（ａ）は上記ペット用トイレの平面図、（ｂ）は（ａ）の矢印ｂ−ｂに沿った縦断正面図
【図４】この発明にかかるペット用トイレのトイレ本体の第２の例を示す平面図
【図５】図４の矢印Ｖ−Ｖに沿って拡大した縦断正面図
【符号の説明】
【００３８】
１          ペット用トイレ
１ａ        トイレ本体
２          本体容器
３          中容器
４          カバー
５          底部
６          周壁
７          底部
８          周壁部
９          吸水紙チップ
１０        空間
１１        装飾品
１２        仕切り桟
【図１】
2008022777.tif 000003
【図２】
2008022777.tif 000004
【図３】
2008022777.tif 000005
【図４】
2008022777.tif 000006
【図５】
2008022777.tif 000007